(57)【要約】【課題】押しボタンの押し込み操作を安定させることができ、操作性の向上を図ることができる。【解決手段】内部に通水路３Ｃを有する本体ケース４と、本体ケースに収容され通水路に連通可能な流路を開閉又は切り替える弁体５２と、を備えた吐水装置であって、本体ケースには、弁体を流路開閉可能に、又は流路を切り替え可能に移動させる押しボタン５３が設けられ、押しボタンは、押込み位置において本体ケース側に設けられる被係止部５１に係止することにより、押込み位置で保持可能に構成されている。【選択図】図４
2020025845.tif 000002
【特許請求の範囲】
【請求項１】
内部に通水路を有する本体ケースと、
前記本体ケースに収容され前記通水路に連通可能な流路を開閉又は切り替える弁体と、を備えた吐水装置であって、
前記本体ケースには、前記弁体を流路開閉可能に、又は流路を切り替え可能に移動させる押しボタンが設けられ、
前記押しボタンは、押込み位置において前記本体ケース側に設けられる被係止部に係止することにより、前記押込み位置で保持可能に構成されていることを特徴とする吐水装置。
【請求項２】
前記本体ケースは、散水孔が形成された散水板を保持し、
前記本体ケースと前記散水板とでシャワーヘッドを構成している請求項１に記載の吐水装置。
【請求項３】
前記本体ケース内には、前記押しボタンのボタン移動方向に移動可能なボタン保持片が設けられ、
前記ボタン保持片には、前記被係止部に係止される弾性片部が設けられている請求項２に記載の吐水装置。
【請求項４】
前記弁体は、弁移動方向の一端側に付勢され、該弁体の一端には前記弁移動方向に対して傾斜する第１傾斜面が形成され、
前記ボタン保持片には、前記第１傾斜面に当接する第２傾斜面が形成され、
前記弁体が付勢された状態で、前記第１傾斜面で前記第２傾斜面を前記弁移動方向の一端側に押圧し、前記ボタン保持片が前記ボタン移動方向に移動する請求項３に記載の吐水装置。
【請求項５】
前記本体ケースは、浴室の壁面に固定されている請求項１に記載の吐水装置。
【請求項６】
前記押しボタンには、前記被係止部に係止される弾性片部が設けられている請求項５に記載の吐水装置。
【発明の詳細な説明】
【技術分野】
【０００１】
本発明は、吐水装置に関する。
【背景技術】
【０００２】
従来、給水源から延ばされた給水ホースに接続されて、湯水などの流体を表面側から散水するシャワー装置（吐水装置）では、表面に散水孔を有する散水板と、散水板を保持し、内部に散水孔と連通した通水路を収容する本体ケースと、を備えたものが一般的となっている。
このようなシャワー装置では、例えば特許文献１に示すように、本体ケース内に弁体を設けられた弁体を押しボタンによって開閉操作して流路を開閉するものが知られている。
【先行技術文献】
【特許文献】
【０００３】
【特許文献１】特開２０１５−２７３３１号公報
【発明の概要】
【発明が解決しようとする課題】
【０００４】
しかしながら、特許文献１に示すような従来のシャワー装置に設けられる押しボタンは、ボタンカバー内にばね等の付勢部材が内蔵されていて、その付勢力を利用して押し込んだボタンを元の位置に復帰するように構成されている。この場合、付勢されたばねを押し込むといった不安定な操作となり、操作性の点で改善の余地があった。
また、押しボタンが押込み位置にあるときには、ボタンカバーが保持されていない状態で、がたつきが生じたり、シャワーヘッドを押しボタンが下向きになるような姿勢にすると、ボタンカバーのみが動いてしまうという問題があった。
【０００５】
本発明は、上述する問題点に鑑みてなされたもので、押しボタンの押し込み操作を安定させることができ、操作性の向上を図ることができる吐水装置を提供することを目的とする。
【課題を解決するための手段】
【０００６】
上記目的を達成するため、本発明に係る吐水装置は、内部に通水路を有する本体ケースと、前記本体ケースに収容され前記通水路に連通可能な流路を開閉又は切り替える弁体と、を備えた吐水装置であって、前記本体ケースには、前記弁体を流路開閉可能に、又は流路を切り替え可能に移動させる押しボタンが設けられ、前記押しボタンは、押込み位置において前記本体ケース側に設けられる被係止部に係止することにより、前記押込み位置で保持可能に構成されていることを特徴としている。
【０００７】
本発明によれば、吐水する際に、押しボタンを押圧操作により押込み位置まで押圧することで、押しボタンを本体ケース側の被係止部に係止することができ、例えば弁体を止水位置から吐水位置に位置させることで吐水することができる。そのため、押しボタンを押込み位置で保持させた状態で維持することができ、吐水状態において押しボタンが飛び出したり、がたつきが生じたりすることを防止でき、押し込み操作が安定し、操作性の向上を図ることができる。
【０００８】
また、本発明に係る吐水装置は、前記本体ケースが、散水孔が形成された散水板を保持し、前記本体ケースと前記散水板とでシャワーヘッドを構成していてもよい。
【０００９】
本発明によれば、吐水装置が本体ケースおよび散水板を有するシャワーヘッドとして構成されているため、吐水する際に、押しボタンを押圧操作により押込み位置まで押圧することで、押しボタンを本体ケース側の被係止部に係止することができ、例えば弁体を止水位置から吐水位置に位置させることで、散水板に給水されて散水孔から散水することができる。そのため、押しボタンを押込み位置で保持させた状態で維持することができ、散水孔を下向きとなる姿勢にしても押しボタンが下方に飛び出したり、がたつきが生じたりすることを防止でき、押し込み操作が安定し、操作性の向上を図ることができる。
【００１０】
また、本発明に係る吐水装置は、前記本体ケース内には、前記押しボタンのボタン移動方向に移動可能なボタン保持片が設けられ、前記ボタン保持片には、前記被係止部に係止される弾性片部が設けられていてもよい。
【００１１】
本発明によれば、吐水する際に、押しボタンを押圧操作により押込み位置まで押圧すると、本体ケースに設けられ弁体の移動に連動するボタン保持片もボタン移動方向で押し込み側に移動する。これによりボタン保持片の弾性片部が被係止部に係止し、ボタン保持片及び押しボタンが押込み位置で保持された状態が維持され、散水面を下向きとなる姿勢にしても押しボタンが下方に飛び出したり、がたつきが生じることを防止できる。
本発明の吐水装置において止水する際には、ボタン保持片がボタン移動方向で戻し側に移動させることで、ボタン保持片の弾性片部が弾性変形し、被係止部との係止状態を解除して弁体を止水位置とすることができる。
【００１２】
また、本発明に係る吐水装置は、前記弁体が、弁移動方向の一端側に付勢され、該弁体の一端には前記弁移動方向に対して傾斜する第１傾斜面が形成され、前記ボタン保持片には、前記第１傾斜面に当接する第２傾斜面が形成され、前記弁体が付勢された状態で、前記第１傾斜面で前記第２傾斜面を前記弁移動方向の一端側に押圧し、前記ボタン保持片が前記ボタン移動方向に移動するように構成してもよい。
【００１３】
本発明によれば、弁体の第１傾斜面とボタン保持片の第２傾斜面とが当接しているため、押しボタンの操作により双方の傾斜面で摺動させることで、ボタン移動方向に移動するボタン保持片を介して弁体をボタン移動方向とは異なる方向の弁移動方向に効率よく、かつ簡単に移動させることができる。
【００１４】
また、本発明に係る吐水装置は、前記本体ケースが、浴室の壁面に固定されていてもよい。
【００１５】
本発明によれば、浴室の壁面に本体ケースが固定された吐水装置において、吐水する際に、押しボタンを押圧操作により押込み位置まで押圧することで、押しボタンを本体ケース側の被係止部に係止することができ、例えば吐水状態を切り替えることができる。そのため、押しボタンを押込み位置で保持させた状態で維持することができ、押しボタンが手前側に飛び出したり、がたつきが生じたりすることを防止でき、押し込み操作が安定し、操作性の向上を図ることができる。
【００１６】
また、本発明に係る吐水装置は、前記押しボタンには、前記被係止部に係止される弾性片部が設けられていてもよい。
【００１７】
本発明によれば、吐水する際に、押しボタンを押圧操作により押込み位置まで押圧すると、押しボタンの弾性片部が被係止部に係止し、押しボタンが押込み位置で保持された状態が維持され、吐水状態において押しボタンが飛び出したり、がたつきが生じたりすることを防止できる。
本発明の吐水装置において止水する際には、押しボタンをボタン移動方向で戻し側に移動させることで、弾性片部が弾性変形し、被係止部との係止状態を解除して弁体を止水位置とすることができる。
【発明の効果】
【００１８】
本発明の吐水装置によれば、押しボタンの押し込み操作を安定させることができ、操作性の向上を図ることができる。
【図面の簡単な説明】
【００１９】
【図１】本発明の第一実施形態による吐水装置（シャワー装置）の全体構成を斜め表面側からみた斜視図である。
【図２】図１に示すシャワー装置の分解斜視図である。
【図３】散水部材及び通水部材の散水軸を通る縦断面図である。
【図４】シャワー装置の縦断面図である。
【図５】一次止水機構ユニットに押しボタンを取り付けた状態の縦断面図であって、押しボタンを解除して弁を閉じた状態を示す図である。
【図６】一次止水機構ユニットに押しボタンを取り付けた状態の縦断面図であって、押しボタンを押して弁を開いた状態を示す図である。
【図７】図５に示す一次止水機構ユニットに押しボタンを取り付けた状態の部分斜視図であって、押しボタンを解除して弁を閉じた状態を示す図である。
【図８】図６に示す一次止水機構ユニットに押しボタンを取り付けた状態の部分斜視図であって、押しボタンを押して弁を開いた状態を示す図である。
【図９】図４に示すＡ−Ａ線断面図であって、押しボタンを押込み位置としたときの図である。
【図１０】図９に示すボタン保持片の要部拡大図であって、（ａ）は吐水時で押しボタンが押込み位置の状態を示す図、（ｂ）は止水時で押しボタンが押込み解除位置の状態を示す図である。
【図１１】シャワー装置の組み立て工程を示す図であって、本体ケースに散水板ユニットを取り付ける前の状態の図である。
【図１２】図１１に続くシャワー装置の組み立て工程を示す図であって、本体ケースに一次止水機構ユニットを取り付ける前の状態の図である。
【図１３】図１２に続くシャワー装置の組み立て工程を示す図であって、本体ケースに押しボタンを取り付ける前の状態の図である。
【図１４】本発明の第二実施形態による浴室ユニットを示す斜視図である。
【図１５】浴室ユニットに用いられる水路を示す構成図である。
【図１６】原水改質装置の右側面図である。
【図１７】原水改質装置の左側面図である。
【図１８】原水改質装置の右側面断面図である。
【図１９】原水改質装置の分解図である。
【図２０】図１８の部分拡大図である。
【図２１】原水改質装置の図２０とは異なる他の動作状態を示す図である。
【図２２】回転連動子の斜視図である。
【図２３】図２２のＡ−Ａ線に沿う断面図である。
【発明を実施するための形態】
【００２０】
（第一実施形態）
以下、本発明の第一実施形態によるシャワー装置（吐水装置）の一例について、図面に基づいて説明する。
【００２１】
図１及び図２に示す本実施形態のシャワー装置１は、給水源（図示省略）から延ばされた給水ホース６（図１）に接続されて、湯または水などの流体を表面側から散水するハンドシャワーである。
【００２２】
シャワー装置１は、図３に示すように、表面に散水孔２４ａを有して流体を散水する散水部材２と、内部に散水孔２４ａと連通した通水路（環状通水路３Ｃ）を有し、上流側からの流体を散水部材２に供給する通水部材３と、散水部材２及び通水部材３を収容する本体ケース４と、本体ケース４に収容される一次止水機構ユニット５（図２参照）と、を備えている。
シャワー装置１は、流体の散水部材２への給水を一次止水する際に、本体ケース４に設けられる後述する押しボタン５３を操作することによって給水から一次止水に切り替えることが可能な構成となっている。
【００２３】
散水部材２及び通水部材３は、金属やプラスチック等の部材により略円盤形状に形成されている。
散水部材２は、上散水板２Ａと、下散水板２Ｂと、を有している。通水部材３は、上通水部３Ａと、下通水部３Ｂと、を有している。そして、上通水部３Ａ、下通水部３Ｂ、上散水板２Ａ、及び下散水板２Ｂが上方（裏面）から下方（表面）に向けてその順で配置されている。
散水部材２は、裏面からみた平面視で中央部分にアクセントリング２１と化粧プレート２２とを有している。上散水板２Ａと下散水板２Ｂは、アクセントリング２１と化粧プレート２２とを挟持した状態で溶着されている。
【００２４】
ここで、以降の説明において、上通水部３Ａ、下通水部３Ｂ、上散水板２Ａ、下散水板２Ｂ、アクセントリング２１、化粧プレート２２が共通の軸線上に配置され、この共通軸線を散水軸Ｏという。散水軸Ｏ方向に沿って、下散水板２Ｂの散水孔２４ａが開口する一方の面で、流体が吐水される面側を表面側、あるいは下側といい、他方の面側を裏面側、あるいは上側という。
また、散水軸Ｏ方向から見た平面視において、散水軸Ｏに直交する方向を径方向といい、散水軸Ｏ回りに周回する方向を周方向という。
【００２５】
下散水板２Ｂは、図２、図３に示すように、平面視で円形形状に形成され、中央に第１開口部２３を有し、板厚方向に貫通する複数の散水孔２４ａが形成された散水面２４を備えている。複数の散水孔２４ａは、下散水板２Ｂの円周方向に沿って均等に配置されている。シャワー装置１は複数の散水孔２４ａから流体をシャワー状に吐水する。第１開口部２３は、角部が滑らかに湾曲した略矩形状に形成されている。散水面２４は、外周部から中央の第１開口部２３に向かって下方に凸となる凸曲面に形成されている。
【００２６】
散水面２４の裏面には、第１開口部２３の周囲から裏面側に向けて突出する筒状リブ２５が設けられている。筒状リブ２５の内側には、裏面側からアクセントリング２１及び化粧プレート２２が挿入されて収容される。
アクセントリング２１は、化粧プレート２２を装着した状態で、上方（裏面側）から下散水板２Ｂの第１開口部２３及び筒状リブ２５の内側に収容される。
【００２７】
化粧プレート２２は、下面に平坦な化粧面２２１ａを有する化粧板２２１を有している。化粧板２２１は、アクセントリング２１の内周形状と同等に形成され、アクセントリング２１の内周面に嵌合可能に設けられている。
【００２８】
化粧プレート２２は、アクセントリング２１を介して下散水板２Ｂの第１開口部２３に装着された状態で、化粧面２２１ａが散水面２４の表面２４ｂよりも奥まった位置に配置される。
【００２９】
上散水板２Ａは、図３に示すように、中央に下散水板２Ｂの筒状リブ２５に外嵌する円形の第２開口部２６０を有し、下散水板２Ｂの外周縁部２ａ近傍の径方向の内側で上方に突出する外周壁２ｂに対して全周にわたって溶着により一体的に設けられている。
上散水板２Ａは、円板部２６１と、円板部２６１の中心に形成される第２開口部２６０の内側の中心部に連結片２６２を介して設けられたねじ係止筒２６３と、円板部２６１を板厚方向に貫通する複数（ここでは３つ）の第１流通孔２６４と、を備えている。
【００３０】
円板部２６１は、上面に下通水部３Ｂとの間に空気層２６Ａを形成し、通水部材３の外周縁との間に空気流入口２６Ｂが形成され、この空気流入口２６Ｂを介して空気層２６Ａと本体ケース４のヘッド本体部４１内の空間とが連通している。
【００３１】
また、上散水板２Ａと下散水板２Ｂとの間には散水室２４Ａが形成されている。複数の第１流通孔２６４は、円周方向に所定の間隔をあけて設けられ、後述する下通水部３Ｂの第２流通孔３４の直下に所定の離間をあけて配置され、かつ同軸となる位置に配置されている。
第１流通孔２６４は、流路断面積が下方に向かうに従い絞られた絞り形状をなしている。すなわち、第１流通孔２６４は、第２流通孔３４から送り出された水を空気取込面２６１ａの空気層２６Ａの空気と混合させて円板部２６１の表面側（下散水板２Ｂの散水面２４）に向けて通過させる。このように上散水板２Ａは、空気層２６Ａを経由して、第１流通孔２６４を介して流体に空気を混入して下散水板２Ｂの内部の散水室２４Ａに供給するエゼクタ機能を有している。そして、散水室２４Ａに供給された空気含有の流体（水）が多数の散水孔２４ａから散水される。
【００３２】
下通水部３Ｂは、上散水板２Ａの円板部２６１の裏面側に間隔をあけて配置され、上散水板２Ａの上側から固定ねじ５０によって固定されている。下通水部３Ｂは、リング形状の第１環状通水路３１と、第１環状通水路３１の中心に配置され固定ねじが挿通可能なねじ挿通筒３３と、板厚方向に貫通する複数（ここでは３つ）の第２流通孔３４と、を備えている。
【００３３】
上通水部３Ａは、下通水部３Ｂの裏面側において外周縁同士を溶着して一体的に固定され、内側にドーナツ形状の環状通水路３Ｃを形成している。上通水部３Ａは、中心に第４開口部３６を形成したリング形状の第２環状通水路３７と、第２環状通水路３７に側方から連通する流体導入路３８と、を備えている。
【００３４】
本体ケース４は、図１及び図２に示すように、表面側に散水部材２及び通水部材３が収容可能な碗状部４１ａを形成させたヘッド本体部４１と、ヘッド本体部４１を長手方向の一端に一体的に設けた持手部４２と、持手部４２の表面側に開口し後述する押しボタン５３が配置されるボタン開口部４３と、を備えている。このような本体ケース４は、プラスチックなどにより形成されている。
【００３５】
ヘッド本体部４１の内周縁部４１ｂには、散水部材２の下散水板２Ｂの外周部が嵌合される。これにより、散水部材２がヘッド本体部４１の内側に装着される。すなわち、散水部材２の裏面側、および外周面がヘッド本体部４１によって覆われた状態となる。
【００３６】
持手部４２は、上下方向が幅方向よりも短尺な扁平断面の筒状をなし、片手で掴んで支持しやすい形状となっている。持手部４２の内部には、持手部４２の長手方向に沿って流路が形成されている。持手部４２には、内部にヘッド本体部４１側とは反対の基端側の開口から挿入される一次止水機構ユニット５が収容可能に設けられている。なお、持手部４２内に収容される一次止水機構ユニット５の先端は、上通水部３Ａの環状通水路３Ｃに連通した状態で接続されている。
【００３７】
一次止水機構ユニット５は、図４に示すように、本体ケース４の持手部４２の内側に収容されている。一次止水機構ユニット５は、持手部４２の形状に沿った細長い筒状のグリップケース５１と、グリップケース５１内に収容され通水部材３の環状通水路３Ｃに連通可能な流路を開閉する弁体５２と、弁体５２を流路開閉可能に移動させる押しボタン５３と、を備えている。
【００３８】
グリップケース５１は、図４乃至図６に示すように、先端側ケース５１Ａと基端側ケース５１Ｂとに、長手方向に二分割されている。基端側ケース５１Ｂの基端部には、シャワーホース６（図１参照）と連結するための雄ねじ５１ａが形成されている。
なお、図４に示すように、本体ケース４における基端部（散水部材２とは反対側の端部）には、一次止水機構ユニット５が挿入可能な持手開口部４ａが形成されている（図１、図２参照）。
【００３９】
図１及び図４に示すように、先端側ケース５１Ａにおける弁体５２を挟んだ両側には、給水ホース６を経由して供給される流体を本体ケース４に収容される通水部材３の環状通水路３Ｃに取り込むケース内流路５１１が形成されている。ケース内流路５１１は、先端側ケース５１Ａの長手方向に沿って延び、上流側が後述する弁支持筒５４に形成される流通開口５４１（後述）に接続されている。このケース内流路５１１は、弁体５２が収容される弁体収容部５１２側とは隔壁によって区画されている。
【００４０】
先端側ケース５１Ａには、図５及び図６に示すように、断面中心部分で弁体５２を弁移動方向Ｃ１に移動可能に支持する弁支持筒５４が組み込まれている。弁支持筒５４の基端側には、弁体５２の弁部５２ａが図６に示す開弁となる吐水位置Ｖ１から図５に示す閉弁となる止水位置Ｖ２に移動したときに着座する弁座５４ａが設けられている。
弁支持筒５４には、ケース内流路５１１に接続する流通開口５４１が形成されている。つまり、弁部５２ａを通過した流体は流通開口５４１を通ってケース内流路５１１を流通し、通水部材３の環状通水路３Ｃに給水される。
【００４１】
弁体５２は、持手部４２の弁移動方向Ｃ１に移動可能に構成されている。弁体５２には、弁座５４ａが閉鎖される止水位置Ｖ２に向けて付勢するコイルバネ５５が設けられている。コイルバネ５５は、付勢方向の一端が弁体５２の基端部に係止され、他端がグリップケース５１（基端側ケース５１Ｂ）の内側に係止されて、弁部５２ａが弁座５４ａに着座する方向に付勢されている。
【００４２】
弁体５２は、弁移動方向Ｃ１の一端側（ここでは押しボタン５３側、図５及び図６の紙面左側）に付勢され、一端には弁移動方向Ｃ１に対して傾斜する第１傾斜面５６ａが形成された弁先端押圧部５６が設けられている。
【００４３】
先端側ケース５１Ａには、図５乃至図８に示すように、押しボタン５３のボタン移動方向Ｃ２に移動可能なボタン保持片５７が設けられている。ボタン保持片５７には、弁先端押圧部５６の第１傾斜面５６ａに当接する第２傾斜面５７ａが形成された保持本体部５７０（図９参照）が設けられている。ボタン保持片５７は、弁体５２が付勢された状態で、第２傾斜面５７ａで第１傾斜面５６ａを弁移動方向Ｃ１の他端側（押しボタン５３から離間する側）に押圧することで、第２傾斜面５７ａが第１傾斜面５６ａに沿ってボタン移動方向Ｃ２の押し込み方向に移動する。
【００４４】
ボタン保持片５７には、押しボタン５３に設けられるスナップフィット機構の第１係止爪５３１に係止される第２係止爪５７１が設けられている。
【００４５】
また、先端側ケース５１Ａには、図９に示すように、弁体５２（図６参照）の先端側において、ボタン保持片５７を収容する一対の支持壁５１３、５１３が設けられている。一対の支持壁５１３は、ボタン保持片５７を挟んだ左右両側において、壁面方向を押しボタン５３のボタン移動方向Ｃ２に向けた状態で互いに対向させて配置されている。
各支持壁５１３は、上壁５１３Ａと下壁５１３Ｂとを有し、上壁５１３Ａと下壁５１３Ｂとの間にボタン保持段部５１３ａ（被係止部）が形成されている。支持壁５１３は、下壁５１３Ｂの下内面５１３ｃが上壁５１３Ａの上内面５１３ｂよりも内側（ボタン保持片５７側）に張り出すように段状に形成されている。ボタン保持段部５１３ａには、後述するボタン保持片５７の弾性片部５７２が係止可能となっている。
【００４６】
また、ボタン保持片５７には、両側部（グリップケース５１の長手方向から見て上下方向に直交するする左右両側）に、先端側ケース５１Ａの一対の支持壁５１３、５１３に形成されるボタン保持段部５１３ａの上面に係止する弾性片部５７２が設けられている。弾性片部５７２は、基端部５７２ｂが保持本体部５７０に連結され、下方に向けて延ばされている。弾性片部５７２の自由端には、支持壁５１３側に向けて突出する係止凸部５７２ａが形成されている。
【００４７】
弾性片部５７２は、基端部５７２ｂを基端にして弾性変形可能に設けられ、ボタン保持片５７のボタン移動方向Ｃ２への移動に伴って、係止凸部５７２ａが支持壁５１３のボタン保持段部５１３ａに係止する図１０（ａ）に示す係止位置Ｐ１と、弾性片部５７２が弾性変形し係止凸部５７２ａがボタン保持段部５１３ａから外れて下壁５１３Ｂの下内面５１３ｃに当接する係止解除位置Ｐ２と、の位置をとるように構成されている。
【００４８】
押しボタン５３は、図４に示すように、持手部４２に形成されるボタン開口部４３に外側から装着可能に設けられ、スナップフィット機構によりボタン保持片５７に係止されている。
【００４９】
押しボタン５３は、図７及び図８に示すように、ボタン部５３Ａと、押込み部材５３Ｂと、ボタン部５３Ａ及び押込み部材５３Ｂの周囲を覆うボタンカバー５３Ｃと、を有している。押込み部材５３Ｂは、ボタン開口部４３内をボタン移動方向Ｃ２に移動可能に設けられている。押込み部材５３Ｂは、ボタン移動方向Ｃ２に延びる複数の突起部５３０が設けられ、これら突起部５３０の突出先端に上述した第１係止爪５３１が形成されている。この第１係止爪５３１は、上述したようにボタン保持片５７の第２係止爪５７１に係止可能となっている。
押しボタン５３は、持手部４２に形成されるボタン開口部４３の外側から内側に向けて挿入して押込み部材５３Ｂの第１係止爪５３１をボタン保持片５７の第２係止爪５７１に係止するスナップフィット機構により係合させることで本体ケース４に組み付けられる。
【００５０】
押しボタン５３は、円柱形状をなし、持手部４２のヘッド本体部４１寄りの位置に配置され、弁移動方向Ｃ１に対して交差（ここでは直交）する方向（ボタン移動方向Ｃ２）に使用者が押圧操作可能に設けられている。押しボタン５３を押圧操作することにより、グリップケース５１に内蔵されている弁体５２が弁移動方向Ｃ１に移動して弁を開閉し、弁体５２の図６に示す吐水位置Ｖ１と図５に示す止水位置Ｖ２とを切り換える操作を行うことができる。
【００５１】
次に、シャワー装置１の組み立て手順について具体的に説明する。
先ず、図２、図４及び図１１に示すように、化粧プレート２２とアクセントリング２１とを組み込んだ状態で散水部材２と通水部材３とを固定ねじ５０を使用して一体化した散水板ユニット２０（図１１参照）を組み立てる。次に、一体化された散水板ユニット２０を本体ケース４のヘッド本体部４１の内側（碗状部４１ａ）に対して表面側から着脱可能に嵌合させる（図１２参照）。このとき、上散水板２Ａの外周部に設けられている弾性係止片２６５を弾性変形させて、ヘッド本体部４１の内周縁部４１ｂに形成される凹部４１ｃに係止させることで、散水板ユニット２０がヘッド本体部４１に嵌合されるようになっている。
【００５２】
次に、図５及び図６に示すように、弁体５２、弁支持筒５４、弁先端押圧部５６、ボタン保持片５７をグリップケース５１内に組み込んで一体化した一次止水機構ユニット５を組み立てる。その後、図２、図４及び図１２に示すように、本体ケース４の持手部４２の内部に持手開口部４ａから一次止水機構ユニット５を挿入し、本体ケース４内で先に組み付けてある図３に示す上通水部３Ａの流体導入路３８の被係止部３８１に連結する。具体的には、一次止水機構ユニット５における散水板ユニット２０側に突出するスナップフィット機構Ｓを、図３及び図４に示す上通水部３Ａの流体導入路３８の外周面に形成された被係止部３８１に係止させる。このように一次止水機構ユニット５は、本体ケース４の持手部４２に挿入させる作業のみで簡単に組み付けられる。
【００５３】
一次止水機構ユニット５の組み付けが完了した後、図１３に示すように、押しボタン５３のボタン部５３Ａ、押込み部材５３Ｂ、ボタンカバー５３Ｃを本体ケース４の外側から取り付ける。具体的には、ボタン部５３Ａ及びボタンカバー５３Ｃを組み込んだ押込み部材５３Ｂを持手部４２に形成されているボタン開口部４３の外側から内側に挿入し、図５乃至図８に示すように押込み部材５３Ｂの第１係止爪５３１をボタン保持片５７の第２係止爪５７１にスナップフィット機構により係止させる。これにより、押しボタン５３が一次止水機構ユニット５と本体ケース４に組み付けられ、図１に示すようなシャワー装置１の組み立てが完了となる。
【００５４】
次に、本実施形態によるシャワー装置１の作用について説明する。
本実施形態によるシャワー装置１では、吐水する際に、図６に示すように押しボタン５３を押圧操作により押込み位置Ｆ１まで押圧すると、押しボタン５３に固定されているボタン保持片５７もボタン移動方向Ｃ２で押し込み側に移動する。これによりボタン保持片５７の弾性片部５７２が図１０（ｂ）に示す係止解除位置Ｐ２から図１０（ａ）に示す係止位置Ｐ１に移動する。すなわち、弾性片部５７２は、係止解除位置Ｐ２による弾性変形が復元し、係止位置Ｐ１において係止凸部５７２ａが支持壁５１３のボタン保持段部５１３ａに係止した状態となる。つまり、シャワー装置１の表面側（図４に示す散水面２４）を下側に向けた姿勢のときに、係止凸部５７２ａがボタン保持段部５１３ａに上方から載置された状態となるので、押しボタン５３の自重によってボタン保持片５７の弾性片部５７２がボタン保持段部５１３ａを乗り越えるように弾性変形することはない。そのため、ボタン保持片５７及び押しボタン５３が押込み位置Ｆ１で保持された状態で維持されるので、散水面２４を下向きとなる姿勢にした場合でも押しボタン５３が下方に飛び出したり、がたつきが生じたりすることを防止でき、押し込み操作が安定し、操作性の向上を図ることができる。
【００５５】
このように押しボタン５３を押込み位置Ｆ１に押圧することで、弁体５２をコイルバネ５５の付勢に抗して弁移動方向Ｃ１で押しボタン５３側から離れる方向に移動させて、弁体５２を図５に示す止水位置Ｖ２から図６に示す吐水位置Ｖ１に位置させることで、散水ユニット２０に給水されて散水孔２４ａから散水することができる。
【００５６】
また、シャワー装置１において止水する際には、コイルバネ５５の付勢力による弁体５２の押付力によってボタン保持片５７がボタン移動方向Ｃ２で戻し側に移動し、図１０（ｂ）に示すようにボタン保持片５７の弾性片部５７２が先端側ケース５１Ａの下壁５１３Ｂの下内面５１３ｃによって左右方向の内側に押し込まれて弾性変形する。これによりボタン保持片５７は、係止凸部５７２ａが支持壁５１３のボタン保持段部５１３ａを乗り越えて係止解除位置Ｐ２となり、押しボタン５３とともに図５に示す押込み解除位置Ｆ２に移動する。このように押しボタン５３が押込み解除位置Ｆ２のときには、弁体５２がコイルバネ５５の付勢によって弁移動方向Ｃ１で押しボタン５３側に移動して図５に示す止水位置Ｖ２で弁を閉じ、散水ユニット２０への給水が停止されて止水状態になる。
【００５７】
また、本実施形態では、弁体５２の第１傾斜面５６ａとボタン保持片５７の第２傾斜面５７ａとが当接しているので、押しボタン５３の操作により双方の傾斜面５６ａ、５７ａで摺動させることで、ボタン移動方向Ｃ２に移動するボタン保持片５７を介して弁体５２をボタン移動方向Ｃ２とは異なる方向の弁移動方向Ｃ１に効率よく、かつ簡単に移動させることができる。
【００５８】
このように本実施形態のシャワー装置１によれば、押しボタン５３の押し込み操作を安定させることができ、操作性の向上を図ることができる。
【００５９】
（第二実施形態）
以下、本発明の第二実施形態による吐水装置の一例について、図面に基づいて説明する。
【００６０】
図１４は、第二実施形態の原水改質装置１５０が用いられる浴室ユニット３００を示す斜視図である。浴室ユニット３００は、浴槽１０１と、浴槽１０１に隣り合う洗い場床１０３と、浴室空間を内部に画定する複数の浴室壁部１０５と、を備える。
【００６１】
図１５は、浴室ユニット３００に用いられる水路を示す構成図である。浴室ユニット３００は、水栓装置１０７からシャワー装置１０８に至る給水路１０９を備える。給水路１０９は、原水改質装置１５０の装置本体１１１（後述する）に設けられる第１内部水路１１３を有する。第１内部水路１１３は、一次側配管１１５から送られる原水を原水供給路１１７及び改質水供給路１１９の何れかを経由させて二次側配管１２１に導ける。第１内部水路１１３は、上流側水路１２３、原水供給路１１７、改質水供給路１１９及び下流側水路１２４を備える。
【００６２】
本明細書での「改質」とは、物理変化や化学変化を経て、特定の成分を原水から除去又は原水に付与することをいう。
【００６３】
図１４に戻る。水栓装置１０７は、入浴者による操作を通じて、給水路１０９に供給される水の流量や温度を調整可能である。シャワー装置１０８は、給水路１０９から供給される水を吐出可能である。本実施形態のシャワー装置１０８は、浴室壁部１０５に対して可動なシャワーヘッドであるが、カラン等でもよい。本実施形態の一次側配管１１５や二次側配管１２１は可撓性があるホースである。本実施形態において、一次側配管１１５は水栓装置１０７と原水改質装置１５０を接続し、二次側配管１２１は原水改質装置１５０とシャワー装置１０８を接続する。
【００６４】
原水改質装置１５０は、浴室用機能部品１２５と組み合わせられる。浴室用機能部品１２５は、浴室に関連する機能を発揮可能である。この「機能」とは、本実施形態では浴室用物品１２６や入浴者の荷重を受けることである。本実施形態での浴室用物品１２６とはシャワーフックである。本実施形態の浴室用機能部品１２５は、シャワーフックや入浴者の荷重を受けるとともにシャワーフックをスライド可能に支持するスライドバーである。シャワーフックは、シャワー装置１０８を着脱可能に構成されている。
【００６５】
図１６は、原水改質装置１５０の右側面図であり、図１７は、その左側面図である。原水改質装置１５０は、浴室壁部１０５に固定される装置本体１１１を備える。装置本体１１１にはカートリッジ１２７が収容される。
【００６６】
カートリッジ１２７の中心軸線Ｌｃ１に沿った軸方向をＸ方向という。また、カートリッジ１２７の中心軸線Ｌｃ１と直交する浴室壁部１０５の内壁面と平行な軸直交方向をＹ方向、浴室壁部１０５の法線方向をＺ方向という。ここで法線方向とは、浴室壁部１０５の内壁面の法線に沿った方向をいう。
【００６７】
図１８は、原水改質装置１５０の右側面断面図であり、図１９は、その分解図である。
装置本体１１１は、前述の第１内部水路１１３を形成する水路形成体１２８と、水路形成体１２８を支持する支持用本体部材１２９と、水路形成体１２８や支持用本体部材１２９を覆う複数のカバー部材１３０と、を備える。
【００６８】
水路形成体１２８は、支持用本体部材１２９に固定される第１本体部材１３１と、第１本体部材１３１に着脱可能に設けられる第２本体部材１３２と、を備える。また、水路形成体１２８は、第１本体部材１３１に直列に接続される第１配管部材１３３及び第２配管部材１３４と、第２本体部材１３２に接続される第３配管部材１３５と、を備える。本実施形態の各配管部材１３３、１３４、１３５はエルボ管が構成している。
【００６９】
図２０は、図１８の部分拡大図である。図２０に示すように、第１本体部材１３１は、第１配管部材１３３がシール部材を介して水密的に接続される第１配管接続部１３６を備える。第１配管部材１３３の上流側部分及び第１配管接続部１３６の一方は、それらの他方の内側に差し込まれ、クリップ等の第１留め具１３７により抜けが止められる。第１配管部材１３３の上流側部分は、第１配管接続部１３６にＺ方向の方向軸周りに回動可能に接続される。この条件を満たすうえで、第１配管部材１３３の回転中心線はＺ方向の方向軸に沿っていなくともよい。
【００７０】
第２配管部材１３４の上流側部分は、装置本体１１１の一部となる第１配管部材１３３の下流側部分にシール部材を介して水密的に接続される。第２配管部材１３４は、第１配管部材１３３にＹ方向の方向軸周りに回動可能に接続される。この条件を満たすうえで、第２配管部材１３４の回転中心軸はＹ方向の方向軸に沿っていなくともよい。第２配管部材１３４の下流側部分には、二次側配管１２１が継手を介して接続される第１外部配管接続部１３８が設けられる。
【００７１】
原水改質装置１５０は、改質水供給路１１９及び原水供給路１１７のなかから第１内部水路１１３の通水経路を切り替え可能な弁機構１００を備える。本実施形態の弁機構１００は原水供給路１１７を開閉可能である。本実施形態の弁機構１００は、原水供給路１１７に設けられるとともに弁孔１０２が形成される弁座１０４と、弁孔１０２を開閉可能な弁体部１０６と、を備える。本実施形態の弁体部１０６はカートリッジ１２７に設けられる。本実施形態の弁孔１０２は弁座１０４そのものの内壁面が形成し、後述する戻し方向Ｐａ２側に向かうにつれて内径が小さくなるテーパー面が構成する。
【００７２】
原水改質装置１５０は、弁機構１００を作動させることによって、改質水供給路１１９及び原水供給路１１７のなかから第１内部水路１１３の通水経路を切り替え可能な水路切替機構１１０を備える。本実施形態の水路切替機構１１０は第１本体部材１３１に組み込まれる。
【００７３】
水路切替機構１１０は、第１内部水路１１３の通水経路を切り替えるために操作される第１操作部材１１２と、第１操作部材１１２に連動して動かされる従動部材１１４と、第１操作部材１１２と従動部材１１４を連動させる連動機構１１６と、を備える。本実施形態の第１操作部材１１２は押圧操作を受けるプッシュボタンである。なお、第１操作部材１１２は回転操作を受ける回転ハンドル等でもよい。
【００７４】
従動部材１１４は、カートリッジ室１３９の下流室１３９ａの奥底部に形成される貫通孔に挿通される。従動部材１１４はカートリッジ室１３９に一部が配置され、従動部材１１４以外の水路切替機構１１０の構成部品はカートリッジ室１３９に配置されない。本実施形態の従動部材１１４は、第１操作部材１１２に連動して作動方向Ｐａ１に動かされることで、弁機構１００の弁体部１０６を動かせる。本実施形態の従動部材１１４は、弁機構１００の弁体部１０６が設けられたカートリッジ１２７の全体を作動方向Ｐａ１に押圧するように動かせる。
【００７５】
原水改質装置１５０は、図１８に示すように、水路切替機構１１０による弁体部１０６の作動方向Ｐａ１とは反対側の戻し方向Ｐａ２に弁体部１０６を付勢する付勢部材１１８を備える。本実施形態の付勢部材１１８は、カートリッジ室１３９の上流室１３９ｂの奥底部とカートリッジ１２７との間に配置され、弁体部１０６と一体的にカートリッジ１２７を付勢する。付勢部材１１８は、たとえば、コイルスプリング等の弾性部材である。水路切替機構１１０の構成部品や弁体部１０６は、付勢部材１１８の付勢力に抗して動かされる。
【００７６】
図２０に戻る。連動機構１１６は、第１操作部材１１２に連動して従動部材１１４の動く方向とは異なる方向に動き、従動部材１１４を作動方向Ｐａ１に押し動かす駆動部材１２０を備える。
【００７７】
図２１は、原水改質装置１５０の他の動作状態を図１８と同じ視点から見た図である。図２０、図２１に示すように、連動機構１１６は、第１操作部材１１２が操作を受ける毎に従動部材１１４の位置を切り替え可能な位置切替機構１２２を備える。本実施形態の位置切替機構１２２はスラストロック機構であるが、この他にも、ハートカム機構、回転カム機構、ラチェットカム機構等でもよい。本実施形態の位置切替機構１２２の構成部品には、スリーブ１２２ａ、回転子１２２ｂ、駆動子１２２ｃが含まれる。位置切替機構１２２は、従動部材１１４が作動方向Ｐａ１及び戻し方向Ｐａ２に往復動する毎に、従動部材１１４のＸ方向での位置を切り替える。これに伴い、弁体部１０６のＸ方向での位置が切り替えられる。
【００７８】
第１操作部材１１２は、表面に配された押しボタン部１１２ａと、押しボタン部１１２ａの裏面側に配され駆動子１２２ｃおよび回転子１２２ｂを押圧する押圧部１１２ｂと、押しボタン部１１２ａの裏面側に配されガイド部材１４０の被係合片（被係止部）１４０ｂ（後述する）に係合可能な係合部（弾性片部）１１２ｃと、を備えている。
【００７９】
押しボタン部１１２ａは、正面視円形または角部が湾曲した矩形状に形成されている。押圧部１１２ｂは、押しボタン部１１２ａの正面視略中央の裏側に配設されており、駆動子１２２ｃと略同一の外径形状に形成されている。係合部１１２ｃは、押しボタン部１１２ａの正面視周縁部の裏側に２箇所形成されており、ガイド部材１４０の被係合片１４０ｂを挟持可能な一対の係合片１１２ｄ，１１２ｄを有している。
【００８０】
ここで、装置本体１１１側には、ガイド部材１４０が連設されている。図２０〜図２３に示すように、ガイド部材１４０は、第１操作部材１１２の裏側に配設されている。ガイド部材１４０の平面視略中央には駆動子１２２ｃおよび押圧部１１２ｂが挿通する貫通孔１４０ａが形成されている。また、ガイド部材１４０における、第１操作部材１１２の係合部１１２ｃに対向する位置に、被係合片１４０ｂが設けられている。
【００８１】
被係合片１４０ｂは、一対の係合片１１２ｄに係合可能な形状を有している。具体的には、被係合片１４０ｂの内面１４０ｃ（貫通孔１４０ａ側を向く面）は、押しボタン部１１２ａ側（表面側）からスリーブ１２２ａ側（裏面側）に向かうにしたがって内側に傾斜した傾斜面（係合片１１２ｄの進退方向に対して傾斜する傾斜面）となっている。また、被係合片１４０ｂの外面１４０ｄは、係合片１１２ｄの係合面と平行な平坦面（係合片１１２ｄの進退方向に沿う方向に平行な平坦面）を備えている。被係合片１４０ｂと係合片１１２ｄが係合したときに、内面１４０ｃと係合片１１２ｄとが線接触するとともに、外面１４０ｄと係合片１１２ｄとが面接触して、係合状態を確実に保持できるように構成されている。
【００８２】
図２０に示すように、第１操作部材１１２とガイド部材１４０とが係合していない状態から、押しボタン部１１２ａを押し込むことにより、係合部１１２ｃの係合片１１２ｄとガイド部材１４０の被係合片１４０ｂとが係合する（図２１の状態）。このとき、一対の係合片１１２ｄと被係合片１４０ｂとは、被係合片１４０ｂの両面にて面接触と線接触で係合状態が保持され、押しボタン部１１２ａのガタツキなどが防止される。この状態で、再度押しボタン部１１２ａを押し込むことにより回転子１２２ｂが回転し、それに伴ってスラストロック機構が解除され、従動部材１１４が付勢部材１１８の付勢力によって戻し方向Ｐａ２へ押し上げられる。その結果、駆動部材１２０，回転子１２２ｂ，駆動子１２２ｃ，第１操作部材１１２が、図２１の左側へ押し戻されるとともに、被係合片１４０ｂと係合片１１２ｄの係合状態が解除され、第１操作部材１１２が図２０の状態に戻る。
【００８３】
本実施形態の水路切替機構１１０は、弁体部１０６が弁孔１０２を閉じる閉位置Ｐ１と、弁体部１０６が弁孔１０２を開く開位置Ｐ２との何れかに保持する。水路切替機構１１０は、第１操作部材１１２が操作を受ける度にカートリッジ１２７（弁体部１０６）の位置を閉位置Ｐ１と開位置Ｐ２の間で切り替える。
【００８４】
弁体部１０６は、弁座１０４に接触して弁孔１０２を閉じる閉位置Ｐ１と、閉位置Ｐ１より弁座１０４から離間して弁孔１０２を開く開位置Ｐ２との間を進退可能である。本実施形態の弁体部１０６の進退方向ＰｄはＸ方向である。
【００８５】
以上の水路切替機構１１０は、Ｘ方向において、カートリッジ１２７に対して重なる位置に配置される。本実施形態の水路切替機構１１０は、戻し方向Ｐａ２、Ｘ方向でカートリッジ室１３９の下流側、及び、上側、のそれぞれにおいて、カートリッジ１２７に対して重なる位置に配置される。この条件は、水路切替機構１１０の構成部品の少なくとも一部が満たしていればよい。この条件は、本実施形態では、水路切替機構１１０の従動部材１１４を含む構成部品が満たしている。これにより、Ｘ方向において水路切替機構１１０をカートリッジ１２７と重ならない位置に配置するより、装置本体１１１のＹ方向やＺ方向での寸法の小型化を図れる。
【００８６】
また、本実施形態の原水改質装置（吐水装置）１５０によれば、押しボタン部１１２ａの押し込み操作を安定させることができ、操作性の向上を図ることができる。
【００８７】
以上、本発明による吐水装置（シャワー装置）の実施形態について説明したが、本発明は上記の実施形態に限定されるものではなく、その趣旨を逸脱しない範囲で適宜変更可能である。
【００８８】
例えば、本第一実施形態では、押しボタン５３の操作とともにボタン移動方向Ｃ２に移動するとともに、弁体５２を弁移動方向Ｃ１に移動させるためのボタン保持片５７を設けているが、このようなボタン保持片５７を設ける構成に限定されることはなく、他の機構を採用することも可能である。要は、押しボタン５３が本体ケース４のボタン開口部４３の外側から内側に挿入可能で、かつ挿入されたときに本体ケース４（一次止水機構ユニット５）に対してボタン操作可能に固定される構成であればよいのである。
【００８９】
また、本実施形態では、押しボタン５３における押込み位置Ｆ１で係止される本体ケース４側に設けられる被係止部として、グリップケース５１（先端側ケース５１Ａ）の支持壁５１３に形成されるボタン保持段部５１３ａとしているが、この部位であることに限定されることはない。要は、本体ケース４側に被係止部が設けられていればよいのであって、グリップケース５１の他の部位であってもよいし、グリップケース５１ではなく、本体ケース４（持手部４２）に直接、被係止部が設けられる構成であってもかまわない。
【００９０】
また、本実施形態では、一次止水機構ユニット５と通水部材３とがスナップフィット機構により接続される構成としているが、スナップフィット機構でない固定手段を採用することも可能である。要は、一次止水機構ユニット５が本体ケース４の持手部４２内に挿通されて所定位置に収容されたときに通水部材３に対して互いの流路同士が連通した状態で接続できる接続構造であればよい。
【００９１】
また、散水板ユニット２０の各構成は、本実施形態に限定されることはなく、適宜変更可能である。例えば本実施形態では、通水路がドーナツ形状で、中央部に固定ねじ５０で通水部材３と散水部材２とを固定した構成としているが、これに限定されることはない。
また、アクセントリング２１や化粧プレート２２を省略することも可能である。
【００９２】
また、一次止水機構ユニットに設けられる弁体として、本実施形態では流路の開閉を可能に移動させるものであるが、流路を切り替え可能に移動させる弁体であってもかまわない。
【００９３】
また、本第二実施形態では、ガイド部材１４０の被係合片１４０ｂと第１操作部材１１２の係合片１１２ｄとが係合したときに、内面１４０ｃと係合片１１２ｄとが線接触するとともに、外面１４０ｄと係合片１１２ｄとが面接触するように構成したが、係合状態が保持できる構造であれば、例えば、外面１４０ｄと係合片１１２ｄとが面接触するだけで、内面１４０ｃは接触しない構造であってもよい。
【００９４】
その他、本発明の趣旨を逸脱しない範囲で、上記した実施形態における構成要素を周知の構成要素に置き換えることは適宜可能である。
【符号の説明】
【００９５】
１  シャワー装置
２  散水部材
３  通水部材
３Ｃ  環状通水路
４  本体ケース
４ａ  持手開口部
５  一次止水機構ユニット
２０  散水板ユニット
４１  ヘッド本体部
４２  持手部
４３  ボタン開口部
５０  固定ねじ
５１  グリップケース
５１Ａ  先端側ケース
５２  弁体
５３  押しボタン
５４  弁支持筒
５６  弁先端押圧部
５６ａ  第１傾斜面
５７  ボタン保持片
５７ａ  第２傾斜面
５１３  支持壁
５１３Ａ  上壁
５１３Ｂ  下壁
５１３ａ  ボタン保持段部（被係止部）
５３１  第１係止爪
５７１  第２係止爪
５７２  弾性片部
５７２ａ  係止凸部
Ｃ１  弁移動方向
Ｃ２  ボタン移動方向
１０６  弁体部
１１１  装置本体（本体ケース）
１１２  第１操作部材
１１２ａ  押しボタン部（押しボタン）
１１２ｄ  係合片（弾性片部）
１４０  ガイド部材
１４０ｂ  被係止片（被係止部）
１４０ｃ  内面（他方の面）
１４０ｄ  外面（一方の面）
１５０  原水改質装置（吐水装置）
【図１】
2020025845.tif 000003
【図２】
2020025845.tif 000004
【図３】
2020025845.tif 000005
【図４】
2020025845.tif 000006
【図５】
2020025845.tif 000007
【図６】
2020025845.tif 000008
【図７】
2020025845.tif 000009
【図８】
2020025845.tif 000010
【図９】
2020025845.tif 000011
【図１０】
2020025845.tif 000012
【図１１】
2020025845.tif 000013
【図１２】
2020025845.tif 000014
【図１３】
2020025845.tif 000015
【図１４】
2020025845.tif 000016
【図１５】
2020025845.tif 000017
【図１６】
2020025845.tif 000018
【図１７】
2020025845.tif 000019
【図１８】
2020025845.tif 000020
【図１９】
2020025845.tif 000021
【図２０】
2020025845.tif 000022
【図２１】
2020025845.tif 000023
【図２２】
2020025845.tif 000024
【図２３】
2020025845.tif 000025